(57)【要約】【課題】放送通信連携サービスにおいて、番組コンテンツの内容に合わせて触覚情報を提示する。【解決手段】放送通信連携触覚提示システム１０００において番組コンテンツに対応するアプリケーションを提供するサービスサーバ３は、放送局１から放送された番組コンテンツを受信する受信機４と携帯端末５とを関連付けた情報を記憶する。そして、サービスサーバ３は、受信機４から触覚情報が提示される番組コンテンツのアプリケーション取得要求を受け取ると、触覚提示アプリケーションをその受信機４に関連付けた携帯端末５に送信する。携帯端末５は、サービスサーバ３が放送局１から受け取った番組コンテンツの触覚情報を受信し、サービスサーバ３または受信機４から取得した触覚情報提示タイミングに従い、触覚情報を出力する。【選択図】図２
2015139059.tif 000002
【特許請求の範囲】
【請求項１】
番組コンテンツを送信する放送局と、前記番組コンテンツに対応するアプリケーションを送信するサービスサーバと、前記番組コンテンツを受信して出力する受信機と、前記サービスサーバおよび前記受信機に接続し、前記番組コンテンツの音声情報に含まれ、振動振幅、速度、加速度の情報を音声波形として収録した触覚情報を出力する携帯端末と、を備える放送通信連携触覚提示システムであって、
前記放送局は、前記番組コンテンツ、当該番組コンテンツの触覚情報および当該触覚情報を提示するタイミングを示す触覚情報提示タイミングを送信しており、
前記サービスサーバは、
前記受信機と当該受信機に出力される前記番組コンテンツの触覚情報を出力する前記携帯端末とから登録要求を受け付けて、当該受信機と当該携帯端末とを関連付ける機器関連付け情報を生成し、
前記受信機から前記触覚情報が提示される番組コンテンツに対応するアプリケーションの取得要求を受信した場合に、前記機器関連付け情報を参照し、当該受信機に関連付けた携帯端末に触覚情報を提示させるための触覚提示アプリケーションを送信し、
前記放送局から受信した当該番組コンテンツの触覚情報を、当該受信機に関連付けた携帯端末に送信し、
前記受信機に関連付けた携帯端末は、
前記サービスサーバから受信した前記触覚提示アプリケーションを実行することにより、前記サービスサーバから前記触覚情報を受信し、前記放送局が送信した前記触覚情報提示タイミングを受信した、前記サービスサーバまたは前記受信機から当該触覚情報提示タイミングを取得し、当該取得した触覚情報提示タイミングに従って、前記受信した触覚情報を出力すること
を特徴とする放送通信連携触覚提示システム。
【請求項２】
前記サービスサーバは、
前記受信機から前記触覚情報が提示される番組コンテンツに対応するアプリケーションの取得要求を受信した場合に、当該受信機に関連付けた携帯端末の触覚情報の再生環境をテストする再生環境テストアプリケーションを含む前記触覚提示アプリケーションを、当該受信機に関連付けた携帯端末に送信することにより、当該携帯端末の前記再生環境のテスト結果を受信し、
前記放送局から受信した当該番組コンテンツの触覚情報を、当該受信機に関連付けた携帯端末の前記再生環境のテスト結果に応じて低周波数帯域が出力されるように調整して調整済触覚情報を生成し、前記放送局から受信した当該番組コンテンツの触覚情報の代わりに、前記生成した調整済触覚情報を当該受信機に関連付けた携帯端末に送信し、
前記受信機に関連付けた携帯端末は、
前記サービスサーバから受信した前記再生環境テストアプリケーションを実行することにより、当該携帯端末の前記触覚情報の再生環境のテストを実行し、当該再生環境のテスト結果を前記サービスサーバに送信し、
前記サービスサーバから前記調整済触覚情報を受信し、前記取得した触覚情報提示タイミングに従って、前記受信した調整済触覚情報を出力すること
を特徴とする請求項１に記載の放送通信連携触覚提示システム。
【請求項３】
前記受信機に関連付けた携帯端末は、
前記再生環境テストアプリケーションを実行することにより、既知の低周波数帯域を含むテスト音声情報を当該携帯端末のスピーカから出力し、当該出力した結果である音声情報を録音し、前記再生環境のテスト結果とすること
を特徴とする請求項２に記載の放送通信連携触覚提示システム。
【請求項４】
番組コンテンツを送信する放送局と、前記番組コンテンツに対応するアプリケーションを送信するサービスサーバと、前記番組コンテンツを受信して出力する受信機と、前記サービスサーバおよび前記受信機に接続し、前記番組コンテンツの音声情報に含まれ、振動振幅、速度、加速度の情報を音声波形として収録した触覚情報を出力する携帯端末と、を備える放送通信連携触覚提示システムの前記サービスサーバであって、
前記受信機と当該受信機に出力される前記番組コンテンツの触覚情報を出力する前記携帯端末とから登録要求を受け付けて、当該受信機と当該携帯端末とを関連付ける機器関連付け情報を生成し、
前記受信機から前記触覚情報が提示される番組コンテンツに対応するアプリケーションの取得要求を受信した場合に、前記機器関連付け情報を参照し、当該受信機に関連付けた携帯端末に触覚情報を提示させるための触覚提示アプリケーションを送信し、
前記放送局から当該番組コンテンツの触覚情報を受信して、当該受信機に関連付けた携帯端末に送信すること
を特徴とするサービスサーバ。
【請求項５】
前記受信機から前記触覚情報が提示される番組コンテンツに対応するアプリケーションの取得要求を受信した場合に、当該受信機に関連付けた携帯端末の触覚情報の再生環境をテストする再生環境テストアプリケーションを含む前記触覚提示アプリケーションを、当該受信機に関連付けた携帯端末に送信することにより、当該携帯端末の前記再生環境のテスト結果を受信し、
前記放送局から当該番組コンテンツの触覚情報を受信し、前記受信した触覚情報を、当該受信機に関連付けた携帯端末の前記再生環境のテスト結果に応じて低周波数帯域が出力されるように調整して調整済触覚情報を生成し、前記受信した触覚情報の代わりに、前記生成した調整済触覚情報を当該受信機に関連付けた携帯端末に送信すること
を特徴とする請求項４に記載のサービスサーバ。
【請求項６】
請求項４または請求項５に記載のサービスサーバの機能をコンピュータに実行させるためのプログラム。
【請求項７】
番組コンテンツを送信する放送局と、前記番組コンテンツに対応するアプリケーションを送信するサービスサーバと、前記番組コンテンツを受信して出力する受信機と、前記サービスサーバおよび前記受信機に接続し、前記番組コンテンツの音声情報に含まれ、振動振幅、速度、加速度の情報を音声波形として収録した触覚情報を出力する携帯端末と、を備える放送通信連携触覚提示システムの前記携帯端末であって、
前記サービスサーバから前記触覚情報を提示させるための触覚提示アプリケーションを受信し、当該触覚提示アプリケーションを実行することにより、前記サービスサーバが前記放送局から受け取った前記番組コンテンツの触覚情報を当該サービスサーバから受信し、当該触覚情報を提示するタイミングを示す触覚情報提示タイミングを前記サービスサーバまたは前記受信機から取得し、当該取得した触覚情報提示タイミングに従って、前記受信した触覚情報を出力すること
を特徴とする携帯端末。
【請求項８】
前記携帯端末は、
前記サービスサーバから、前記携帯端末の触覚情報の再生環境をテストする再生環境テストアプリケーションを含む前記触覚提示アプリケーションを受信し、前記再生環境テストアプリケーションを実行することにより、当該携帯端末自身の前記触覚情報の再生環境のテストを実行し、当該再生環境のテスト結果を前記サービスサーバに送信し、
前記サービスサーバから、前記番組コンテンツの触覚情報を、当該携帯端末の前記再生環境のテスト結果に応じて低周波数帯域が出力されるように調整した調整済触覚情報を受信し、前記取得した触覚情報提示タイミングに従って、前記受信した調整済触覚情報を出力すること
を特徴とする請求項７に記載の携帯端末。
【請求項９】
前記携帯端末は、
前記再生環境テストアプリケーションを実行することにより、既知の低周波数帯域を含むテスト音声情報を当該携帯端末のスピーカから出力し、当該出力した結果である音声情報を録音し、前記再生環境のテスト結果とすること
を特徴とする請求項８に記載の携帯端末。
【発明の詳細な説明】
【技術分野】
【０００１】
本発明は、放送波により提供される放送サービスと通信ネットワークを介して提供される通信サービスとを融合した放送通信連携サービスにおいて、視覚および聴覚以外の感覚の情報を、コンテンツに同期させて提供する技術に関する。
【背景技術】
【０００２】
Ｈｙｂｒｉｄｃａｓｔ（登録商標）などの放送通信連携サービスが開始され対応受信機が発売されている。放送通信連携サービスでは、一例として、受信機が、放送番組に対応付けられたアプリケーションをアプリケーション管理サーバから取得して実行することによって、サービスサーバから配信コンテンツデータ（例えば、放送番組の内容に関する詳細情報）を取得する。そして、受信機は、放送波を受信することにより取得した番組コンテンツデータ（放送番組の映像や音声）と、ネットワーク通信により取得した配信コンテンツデータとを対応付けて再生する。
【０００３】
この放送通信連携サービスによれば、受信機は、放送番組に対応付けられたアプリケーション（配信コンテンツデータを取得するためのプログラム）や、視聴者による要求に応じた配信コンテンツデータをサービスサーバから取得し、例えば、番組コンテンツデータと配信コンテンツデータとを同期させて再生することができる。
【０００４】
一方、視覚および聴覚以外の感覚情報（臭い、味覚、温度・湿度など）をセンサを用いて測定し、その感覚情報を放送データに含めて送信し、受信した感覚情報に対応する感覚を与えるための提示装置を用いてコンテンツの感覚情報を再現する技術が開示されている（例えば、特許文献１参照）。
【先行技術文献】
【特許文献】
【０００５】
【特許文献１】特開２００９−１９４５９７号公報
【発明の概要】
【発明が解決しようとする課題】
【０００６】
しかしながら、特許文献１に記載の技術では、感覚情報を再現するために専用提示機器が必要となる。
一方で、放送通信連携サービスにより、触覚（ものに触れたときに感じる振動や加速度などの感覚）情報を、専用提示機器を用いずに、市販の放送通信連携テレビ受信機（以下、単に、「受信機」または「テレビ受信機」と称す。）と携帯端末（携帯電話やスマートフォンなど）の組み合わせにより提示することが理論上可能となった。
【０００７】
この触覚情報は、特許文献１において示されるような、特有のセンサを用いて測定される情報ではなく、番組コンテンツ（放送番組）の収録時に、音声振幅と時間情報とからなる音声波情報（音声情報）として同時に収録できる。即ち、触覚情報は、番組コンテンツ収録時に、通常のマイクロフォン等により音声情報として収録したものを使用することができる。ここで、音声情報は映像情報に比べ、非常にデータ量が少ないため、収録直後に触覚情報用の音声情報を転送し、通信網を使って配信するための時間は、映像情報のエンコード／デコードにかかる時間と比較して十分に小さいため、リアルタイムでの中継でも配信できることがわかっている。これらの状況から、専用ゲーム機などで提示される作り込みの触覚情報や、専用センサを使い、専用提示装置で提示されるサンプリングの欠損を含む触覚情報等とは違った、リアリティのある触覚の情報伝達が期待できる。
そして、実際の振動振幅・速度・加速度などの情報を含んだデータ（触覚情報）としての音声波情報（音声情報）は、音声周波数帯域として、１Ｈｚ〜２０００Ｈｚの物理特性を有する。さらに、触覚情報に関するデータの大部分は、主に１Ｈｚ〜１００Ｈｚの低周波数成分に集中している。
【０００８】
しかし、この物理特性を有する触覚情報を、専用提示機器を用いずに市販の放送通信連携テレビ受信機と携帯端末との組み合わせにより実際に提示する際には、市販のテレビ受信機と携帯端末の音声再生周波数帯域に関して、以下のような問題が存在する。
【０００９】
即ち、デジタル放送用の放送波の音声情報は、規格により２０Ｈｚ以下がカットオフされており、テレビ受信機の音声再生もこれに合わせ、低周波数帯域が出力されない仕組みになっている。また、テレビ受信機の音声再生周波数帯域と同様に、携帯端末の音声再生周波数帯域も低周波数帯域の出力が抑えられている。しかしながら、携帯端末の音声再生周波数帯域の低周波数帯域における出力逓減率は、テレビ受信機ほど極端なものではない。携帯端末毎の設計による差異はあるが、どの携帯端末にも共通して備え付けられているハードウェアによる音声再生音量を最大にすると、１Ｈｚ〜１００Ｈｚの低周波数音声情報が再生できることが分かっている。但し、アプリケーションをユーザが利用する度に、ハードウェアによる音声再生音量を最大にするという動作を各ユーザに強いることは難しいため、現状では、番組コンテンツの内容に合わせて携帯端末を用いて触覚情報をユーザに提示することはできていない。
【００１０】
本発明は、以上のような問題を鑑みてなされたものであり、放送通信連携サービスにおいて、番組コンテンツの内容に合わせて触覚情報を提示することができる、放送通信連携触覚提示システム、サービスサーバおよびプログラム、並びに、携帯端末を提供することを課題とする。
【課題を解決するための手段】
【００１１】
前記課題を解決するために、本発明の放送通信連携触覚提示システムは、番組コンテンツを送信する放送局と、番組コンテンツに対応するアプリケーションを送信するサービスサーバと、番組コンテンツを受信して出力する受信機と、サービスサーバおよび受信機に接続し、番組コンテンツの音声情報に含まれ、振動振幅、速度、加速度の情報を音声波形として収録した触覚情報を出力する携帯端末と、を備える構成とした。
【００１２】
かかる構成において、放送局は、番組コンテンツ、当該番組コンテンツの触覚情報および当該触覚情報を提示するタイミングを示す触覚情報提示タイミングを送信する。
また、サービスサーバは、受信機と当該受信機に出力される番組コンテンツの触覚情報を出力する携帯端末とから登録要求を受け付けて、当該受信機と当該携帯端末とを関連付ける機器関連付け情報を生成する。
また、サービスサーバは、受信機から触覚情報が提示される番組コンテンツに対応するアプリケーションの取得要求を受信した場合に、機器関連付け情報を参照し、当該受信機に関連付けた携帯端末に触覚情報を提示させるための触覚提示アプリケーションを送信する。
さらに、サービスサーバは、放送局から受信した当該番組コンテンツの触覚情報を、当該受信機に関連付けた携帯端末に送信する。
【００１３】
そして、受信機に関連付けた携帯端末は、サービスサーバから受信した触覚提示アプリケーションを実行することにより、サービスサーバから触覚情報を受信し、放送局が送信した触覚情報提示タイミングを受信した、サービスサーバまたは受信機から当該触覚情報提示タイミングを取得し、当該取得した触覚情報提示タイミングに従って、受信した触覚情報を出力する。
【００１４】
これによって、放送通信連携触覚提示システムは、番組コンテンツに対応するアプリケーションを提供するサービスサーバが、放送局から放送された番組コンテンツを受信する受信機と携帯端末とを関連付けた機器関連付け情報を記憶する。そして、サービスサーバは、受信機から触覚情報が提示される番組コンテンツのアプリケーション取得要求を受け取ると、触覚提示アプリケーションをその受信機に関連付けた携帯端末に送信する。携帯端末は、サービスサーバが放送局から受け取った番組コンテンツの触覚情報を受信し、サービスサーバまたは受信機から取得した触覚情報提示タイミングに従い、触覚情報を出力する。
よって、放送通信連携触覚提示システムは、受信機に出力される番組コンテンツの内容に合わせて、その受信機に関連付けた携帯端末において、当該番組コンテンツの触覚情報をユーザに提示することができる。また、放送通信連携触覚提示システムは、番組コンテンツの収録時に触覚情報を音声情報として取得するため、触覚情報を再現するための専用提示機器を用いることなく、一般的な携帯端末により、番組コンテンツに連動した触覚情報をユーザに提示することができる。
【発明の効果】
【００１５】
本発明によれば、放送通信連携サービスにおいて、番組コンテンツの内容に合わせて触覚情報を提示することができる、放送通信連携触覚提示システム、サービスサーバおよびプログラム、並びに、携帯端末を提供することができる。
【図面の簡単な説明】
【００１６】
【図１】本実施形態に係る放送通信連携触覚提示システムの全体構成図である。
【図２】本実施形態に係る放送通信連携触覚提示システムの処理の全体の流れを説明する図である。
【図３】本実施形態に係るサービスサーバの構成例を示す機能ブロック図である。
【図４】本実施形態に係る受信機の構成例を示す機能ブロック図である。
【図５】本実施形態に係る携帯端末の構成例を示す機能ブロック図である。
【図６】本実施形態に係る放送通信連携触覚提示システムが行う機器関連付け処理の流れを示すシーケンス図である。
【図７】本実施形態に係る放送通信連携触覚提示システムが行う触覚提示アプリケーションの起動処理の流れを示すシーケンス図である。
【図８】本実施形態に係る携帯端末が行う再生環境テストの処理を説明するフローチャートである。
【発明を実施するための形態】
【００１７】
以下、本発明を実施するための形態（以下、「実施形態」という）について図面を参照して説明する。
【００１８】
＜放送通信連携触覚提示システムの概要＞
最初に、本実施形態に係る放送通信連携触覚提示システム１０００の概要について説明する。
【００１９】
図１は、本実施形態に係る放送通信連携触覚提示システム１０００の全体構成図である。図１に示すように、放送通信連携触覚提示システム１０００は、放送局１と、放送用アンテナ２と、サービスサーバ３と、受信機４と、携帯端末５とを含んで構成される。この放送通信連携触覚提示システム１０００では、受信機４において、ＩＳＤＢ（Integrated Services Digital Broadcasting：統合デジタル放送サービス）方式によって放送局１から提供される放送サービスと、インターネット等により構成される通信ネットワーク６を介してサービスサーバ３から提供される通信サービスとが連携される。これにより、放送通信連携サービスが受信機４のユーザに提供される。
【００２０】
なお、本実施形態では、放送通信連携サービスを実現する一例として、Ｈｙｂｒｉｄｃａｓｔシステムを例として説明する。Ｈｙｂｒｉｄｃａｓｔとは、同報性、高品質、高信頼という放送の特徴と、視聴者の個別の要求に応えることができるという通信の特徴とを生かしたシステムを構築する仕組みである。Ｈｙｂｒｉｄｃａｓｔシステムは、放送サービスを中心に置きながら、通信の活用によってサービスを強化するという観点で、放送と通信の連携サービスを実現することができる。
【００２１】
本実施形態に係る放送通信連携触覚提示システム１０００では、放送通信連携サービスにおいて提供される番組コンテンツと連携し、図１に示すように、サービスサーバ３および受信機４と接続された携帯端末５において触覚情報を提示させるものである。
【００２２】
なお、本実施形態において、番組コンテンツと連動して携帯端末５により提示される触覚情報とは、例えば、以下のようなケースでの提示が考えられる。サッカーボールの内部にマイクロフォンを組み込んだり、また、現状のサッカー中継と同様に、ボールを保持するサッカー選手にマイクロフォンを向けることにより、サッカー選手がそのサッカーボールを蹴る瞬間の振動を、マイクロフォンを用いて音声として収録し、携帯端末５を手に持つユーザにサッカー試合の放送番組の中で、その振動を提示する。ゴルフ番組において、プロゴルファーがゴルフクラブを使ってゴルフボールを打つ瞬間（ショット）の振動の情報を、携帯端末５を手に持つユーザに提示する。体操の床運動の競技大会において、床にマイクロフォンを設置し、体操選手の動きに連動した床の振動を、携帯端末５を手に持つユーザに提示する。また、スポーツ以外の番組においても、例えば、ホラー映画において恐怖シーンの効果を高めるために触覚情報を用いたり、報道番組において、台風や竜巻による振動を伝えるため、携帯端末５に触角情報を提示したりすることができる。このように、受信機４により提供される番組コンテンツの内容（映像・音声）とタイミングを合わせて、振動振幅・速度・加速度からなる触覚情報を携帯端末５により提示することにより、より豊かなコンテンツ表現を提供することができる。
【００２３】
≪放送通信連携触覚提示システムの処理の概要≫
次に、本実施形態に係る放送通信連携触覚提示システム１０００の処理の概要について説明する。
【００２４】
本実施形態に係る放送通信連携触覚提示システム１０００では、携帯端末５は、サービスサーバ３がその携帯端末５の低周波数帯域の出力特性に基づき調整（ミキシング）した触覚情報を取得する。そして、携帯端末５は、受信機４等を介して取得した番組コンテンツのタイミング（後記する「触覚情報提示タイミング」）に合わせて、取得した触覚情報を出力してユーザに提示する。
具体的には、携帯端末５は、携帯端末５それぞれにおいて、音声再生周波数特性、つまり、設定されているハードウェアによる低周波数帯域の再生環境が異なるため、番組コンテンツ配信前に予め再生環境の自己テスト（後記する「再生環境テスト」）を行い、当該携帯端末５に特有な低周波数帯域の出力逓減率を求める。そして、サービスサーバ３が、再生環境テストの結果に基づき、触覚情報を最適に提示（再現）するために周波数ごとに調整（ミキシング）した触覚情報（後記する「調整済触覚情報」）を生成し携帯端末５に送信する。携帯端末５は、サービスサーバ３から取得した調整済触覚情報を、触覚情報提示タイミングに従い、番組コンテンツに合わせて触覚情報として提示する。
【００２５】
次に、図２を参照して、本実施形態に係る放送通信連携触覚提示システム１０００の処理の全体の流れ（概要）を説明する。
【００２６】
まず、受信機４および携帯端末５は、触覚提示サービス登録要求をサービスサーバ３に送信する（ステップＳ１）。これにより、サービスサーバ３が、受信機４と携帯端末５とを関連付ける。つまり、受信機４と触覚情報を提示する携帯端末５とを関連付ける情報（後記する「機器関連付け情報」）を予めサービスサーバ３に登録しておく。なお、この処理は、後記する図６（機器関連付け処理）において詳細に説明する。
【００２７】
続いて、受信機４は、触覚情報が提示される番組コンテンツを取得するためのアプリケーション取得要求をサービスサーバ３に送信し、放送番組に対応付けられたアプリケーションをサービスサーバ３から取得する（図示省略）。また、サービスサーバ３は、触覚情報を提示させるためのアプリケーション（後記する「触覚提示アプリケーション」）を、機器関連付け情報を参照し、アプリケーション取得要求を送信してきた受信機４に関連付けられた携帯端末５に送信する（ステップＳ２）。なお、触覚提示アプリケーションの起動処理の詳細は、後記する図７において詳細に説明する。
【００２８】
次に、携帯端末５は、触覚提示アプリケーションを実行することにより、触覚情報を提示するための再生テスト（再生環境テスト）を実行する（ステップＳ３）。携帯端末５は、この再生環境テストにより、その携帯端末５に特有な低周波数帯域の再生環境に関する情報（低周波数帯域の出力逓減率）を取得する。なお、この処理は、後記する図８（再生環境テスト）において詳細に説明する。
【００２９】
そして、携帯端末５は、その再生環境テスト結果に、自身の携帯端末５に固有な端末ＩＤを付してサービスサーバ３に送信する（ステップＳ４）。
【００３０】
続いて、放送局１から放送用アンテナ２を介して送信された放送波を受信することにより、受信機４は、番組コンテンツと触覚情報提示タイミングとを取得する（ステップＳ５）。
【００３１】
次に、受信機４は、触覚情報提示タイミングの情報を受信機４自身と関連付けられた携帯端末５に送信する（ステップＳ６）。
【００３２】
一方、サービスサーバ３は、放送局１から、番組コンテンツ収録時に音声情報として収録された触覚情報を受信し（ステップＳ７）、携帯端末５から受信した再生環境テスト結果を基に、その携帯端末５において最適となるように触覚情報を調整（ミキシング）する（ステップＳ８）。続いて、サービスサーバ３は、調整後の触覚情報（調整済触覚情報）を携帯端末５に送信する（ステップＳ９）。
【００３３】
そして、調整済触覚情報を受信した携帯端末５は、受信機４から受信した触覚情報提示タイミングに従いその調整済触覚情報を出力する。これにより、受信機４から出力される番組コンテンツ（映像・音声）に連動して、携帯端末５により触覚情報が提示される。
【００３４】
このようにすることで、本実施形態に係る放送通信連携触覚提示システム１０００によれば、放送通信連携サービスにおいて、番組コンテンツの内容に合わせた触覚情報を、携帯端末５により出力しユーザに提示することができる。
【００３５】
次に、放送通信連携触覚提示システム１０００を構成する各装置について具体的に説明する。
【００３６】
≪放送局１≫
放送局１は、番組編成設備と、番組送出設備と、送信設備とを含んで構成される一般的なデジタル放送用の放送設備（図示省略）を備える。
放送局１は、放送設備によって、コンテンツや、イベント情報（ＥＩＴ：Event Information Table）、アプリケーション管理情報（ＡＩＴ：Application Information Table）等を制作する。そして、放送局１は、放送設備によって、これらのコンテンツ、イベント情報（ＥＩＴ）、アプリケーション管理情報（ＡＩＴ）等を多重化した放送信号を生成し、その放送信号を放送波に変調して放送用アンテナ２から送信する。
【００３７】
イベント情報（ＥＩＴ）は、番組コンテンツの名称、番組コンテンツの放送日時、番組コンテンツの説明等のコンテンツに関するメタ情報を含む。また、本実施形態においては、番組コンテンツ内の触覚情報提示タイミングの情報を含むこともできる。
【００３８】
アプリケーション管理情報（ＡＩＴ）は、受信機４や携帯端末５において実行可能なアプリケーションプログラム（以下、「アプリケーション」と記載する。）を管理するための情報である。アプリケーション管理情報（ＡＩＴ）には、１以上のアプリケーションそれぞれに対応し、当該１以上のアプリケーションそれぞれを管理するための個別管理情報が含まれる。この個別管理情報には、管理対象のアプリケーションを識別するアプリケーションＩＤ、当該アプリケーションの所在を示すロケーション情報等が含まれる。
【００３９】
アプリケーションにより提供されるコンテンツには、番組コンテンツに連動するコンテンツと、番組コンテンツに連動しないコンテンツが含まれる。なお、番組コンテンツとは、放送スケジュールに従って放送される番組を構成する映像や音声の各データを含むコンテンツを意味する。番組コンテンツに連動しないコンテンツは、例えば、放送番組には関係なく提供される天気情報や交通情報等がある。以下、アプリケーションにより提供されるコンテンツを「アプリ用コンテンツ」と記載する。
【００４０】
放送信号は、従来のデジタル放送の放送信号と同一であり、ＡＲＩＢ（登録商標）（社団法人電波産業会：Association of Radio Industries and Broadcast）標準規格で規定される。また、デジタル放送によって提供される映像、音声等の各種データは、国際標準規格ＭＰＥＧ−２ Ｓｙｓｔｅｍｓで規定されるＴＳパケット（トランスポートストリームパケット）に格納されて、時分割で多重伝送される。ＴＳパケットには、セクション（Ｓｅｃｔｉｏｎ）に対して、ＰＳＩ（Program Specific Information）／ＳＩ（Service Information）が規定されている。ＰＳＩ／ＳＩには、ＴＳパケットに格納されているデータの種別を示す情報や、コンテンツの種別を示す情報が含まれる。また、上述のイベント情報（ＥＩＴ）は、このＳＩに含まれるものである。
【００４１】
ＴＳパケットによるデータ伝送は、セクションを用いてデータを伝送する方式と、ＰＥＳ（Packetized Elementary Stream）パケットを用いてデータを伝送する方式（データストリーム伝送方式）とに分類される。セクションを用いて伝送する方式には、データカルーセル伝送方式と、イベントメッセージ伝送方式がある。
【００４２】
データカルーセル伝送方式は、１以上のデータを一定周期で繰り返し伝送する伝送方式である。データカルーセル伝送方式によって伝送される個々のデータ（モジュール）には、それらを一意に識別するための識別情報が付されている。データカルーセル伝送方式は、受信機４側に個々のデータを任意のタイミングで取得させるために用いられる。
【００４３】
イベントメッセージ伝送方式は、放送局１から受信機４に対して、トリガ信号を送るための方式である。イベントメッセージ伝送方式は、データ量が少ないメッセージを放送局１から受信機４に伝送する場合に用いられる。本実施形態における触覚情報提示タイミングの情報は、このイベントメッセージ伝送方式により送信するようにしてもよい。
【００４４】
また、データストリーム伝送方式は、伝送するデータをＰＥＳパケットに収容してストリームとして伝送する伝送方式である。データストリーム伝送方式は、映像、音声、字幕データ等のリアルタイム型のデータや、他のストリームとの同期を要するデータの伝送に用いられる。
【００４５】
ここで、アプリケーション管理情報（ＡＩＴ）は、ＴＳパケットを用いて様々方法で伝送することが可能である。例えば、アプリケーション管理情報（ＡＩＴ）を、ＴＳパケットのＳＩに含まれるイベント情報（ＥＩＴ）に格納して伝送する。アプリケーション管理情報（ＡＩＴ）を、セクションを用いてデータカルーセル伝送方式により伝送する。アプリケーション管理情報（ＡＩＴ）を、ＰＥＳとしてコンテンツの映像や音声に多重させて伝送する。アプリケーション管理情報（ＡＩＴ）を、バイナリ表現またはＸＭＬ（Extensible Markup Language）によるテキスト表現で記述して、ＴＳパケットに格納して伝送する。本実施形態では、アプリケーション管理情報（ＡＩＴ）の伝送が、例えば、これらの伝送方法のいずれかを用いることにより実現される。
【００４６】
また、放送局１は、サービスサーバ３とネットワークや専用回線等により接続される。そして、放送局１は、番組コンテンツの収録時に音声情報として収録した触覚情報をアプリ用コンテンツに含めて、サービスサーバ３に送信する。
【００４７】
このようにすることにより、放送局１は、番組コンテンツを放送波として受信機４に送信すると共に、その放送番組に対応したアプリケーション管理情報（ＡＩＴ）および触覚情報提示タイミングを受信機４に送信する。また、放送局１は、番組コンテンツに対応した触覚情報をサービスサーバ３に送信する。なお、放送局１は、番組コンテンツをサービスサーバ３を介して受信機４に送信するようにしてもよい。
【００４８】
≪サービスサーバ３≫
次に、サービスサーバ３について説明する。
サービスサーバ３は、受信機４や携帯端末５において動作する各種のアプリケーションを配信するアプリケーション配信機能と、アプリケーションにより提供されるコンテンツ（アプリ用コンテンツ）を配信するコンテンツ配信機能とを備える。なお、サービスサーバ３は、これらのアプリケーションやアプリ用コンテンツを、放送局１から受信したり、入出力部（図示省略）から取得して、記憶部（図示省略）に記憶しておく。
【００４９】
このサービスサーバ３は、受信機４に対しアプリケーション管理情報（ＡＩＴ）を送信する。例えば、放送局１から受信した番組コンテンツにアプリケーション管理情報（ＡＩＴ）を多重化させて受信機４に送信したり、受信機４からのアプリケーション管理情報（ＡＩＴ）の取得要求に応じて受信機４に対しアプリケーション管理情報（ＡＩＴ）を送信したりする。また、サービスサーバ３は、受信機４からアプリケーションの取得要求を受け付けたことに応じて、受信機４に対してアプリケーションを送信する。さらに、サービスサーバ３は、受信機４においてアプリケーションが実行されている場合に、映像や音声等の各データを含むアプリ用コンテンツを受信機４に送信する。
【００５０】
また、サービスサーバ３は、携帯端末５に対しアプリケーション管理情報（ＡＩＴ）を送信し、携帯端末５からのアプリケーション（触覚情報を提示するための触覚提示アプリケーション）の取得要求を受け付けたことに応じて、携帯端末５に対してアプリケーション（触覚提示アプリケーション）を送信する。
【００５１】
さらに、サービスサーバ３は、放送局１から番組コンテンツの収録時に音声情報として収録した触覚情報を放送局１から受け取り、個々の携帯端末５の再生環境テスト結果に基づき、各携帯端末５において最適となるように触覚情報を調整（ミキシング）して、調整後の触覚情報（調整済触覚情報）をその携帯端末５に送信する。
【００５２】
次に、図３を参照して、本実施形態に係るサービスサーバ３の構成例について詳細に説明する。
サービスサーバ３は、放送通信連携サービスを実現するための通常の機能である受信機４に対するアプリケーションやコンテンツの配信機能（図示省略）に加えて、本実施形態に特有な機能として、図３に示すように、触覚アプリケーション制御部３１０と触覚情報送信制御部３１１とを備える。
【００５３】
触覚アプリケーション制御部３１０は、受信機４および携帯端末５それぞれからユーザＩＤと機器ＩＤとを含む触覚提示サービス登録要求を受信し、その受信機４と携帯端末５とを関連付けた情報（以下、機器関連付け情報）を記憶部（図示省略）に記憶する。つまり、受信機４の映像や音声情報と連動して触覚情報を提示させる携帯端末５を対応付ける（詳細は、図６参照）。
【００５４】
また、触覚アプリケーション制御部３１０は、受信機４から触覚情報が提示される放送番組に対応したアプリケーションの取得要求を受信すると、記憶部（図示省略）に記憶されたアプリケーション（触覚情報提示タイミングを携帯端末５に送信する機能を含むアプリケーション）を受信機４に送信する。それと共に、触覚アプリケーション制御部３１０は、受信機４から触覚情報が提示される放送番組に対応したアプリケーションの取得要求を受信した場合に、その受信機４に関連付けられた携帯端末５にアプリケーション管理情報（ＡＩＴ）を送信する。これにより、触覚アプリケーション制御部３１０は、送信したアプリケーション管理情報（ＡＩＴ）に対応した、触覚情報を提示するためのアプリケーション（触覚提示アプリケーション）の取得要求を携帯端末５から受信し、その携帯端末５に触覚提示アプリケーションを送信する。なお、この触覚提示アプリケーションは、その携帯端末５に特有な低周波数帯域の再生環境をテストする処理や、触覚情報提示タイミングに基づき触覚情報を番組コンテンツと同期させて出力する処理を実行させるアプリケーションである。
【００５５】
さらに、触覚アプリケーション制御部３１０は、放送局１から、音声情報として収録した触覚情報を含むアプリ用コンテンツを受信し、その収録した触覚情報を触覚情報送信制御部３１１に出力する。また、触覚アプリケーション制御部３１０は、放送局１から番組コンテンツと共に触覚情報提示タイミングの情報を取得した場合には、それらの情報を、受信機４に送信する。
【００５６】
触覚情報送信制御部３１１は、携帯端末５から、その携帯端末５のＩＤ（端末ＩＤ）が付された再生環境テスト結果を受信する。そして、触覚情報送信制御部３１１は、その再生環境テスト結果に基づき、放送局１から受信した収録した触覚情報を調整（ミキシング）し、調整済触覚情報を生成して、その携帯端末５に送信する。
【００５７】
このようにすることで、サービスサーバ３は、携帯端末５に対し触覚提示アプリケーションを提供し、その携帯端末５から再生環境テスト結果を受信する。そして、サービスサーバ３は、再生環境テスト結果に基づき、放送局１から受信した触覚情報を、その携帯端末５において最適となるように調整（ミキシング）し、調整済触覚情報を携帯端末５に送信することができる。
なお、このサービスサーバ３の触覚アプリケーション制御部３１０および触覚情報送信制御部３１１の各機能は、例えば、サービスサーバ３の記憶部（図示省略）に格納されたプログラムを、ＣＰＵ（Central Processing Unit）（図示省略）がメインメモリであるＲＡＭ（Random Access Memory ）（図示省略）に展開し実行することで実現される。
【００５８】
≪受信機４≫
次に、受信機４について説明する。
受信機４は、放送局１からの放送またはサービスサーバ３との通信を介して番組コンテンツを受信し、その番組コンテンツの映像情報および音声情報を同期して出力する。また、受信機４は、アプリケーション管理情報（ＡＩＴ）に基づいてアプリケーションをサービスサーバ３から取得し、取得したアプリケーションを実行する。そして、受信機４は、実行しているアプリケーションによりサービスサーバ３からアプリ用コンテンツの映像情報や音声情報等を取得し、番組コンテンツの映像情報および音声情報に連携させて出力する。さらに、受信機４は、放送局１またはサービスサーバ３から触覚情報提示タイミングの情報を取得し、携帯端末５に送信する。
【００５９】
図４は、本実施形態に係る受信機４の構成例を示す機能ブロック図である。
図４に示すように、受信機４は、放送波受信部４１０と、第１分離部４１１と、放送ＡＩＴ取得部４１２と、第２分離部４１３と、通信ＡＩＴ取得部４１４と、放送通信アプリケーション制御部４１５と、通信部４２０と、ＡＩＴ記憶部４３０と、メモリ４３１と、スピーカ４４０と、ディスプレイ４４１とを含んで構成される。
【００６０】
放送波受信部４１０は、放送用アンテナ２を介して放送局１から放送されている放送波を受信する。
【００６１】
第１分離部４１１は、放送波受信部４１０により受信した放送波を復調し、放送波から放送信号、即ち、ＴＳパケットを抽出する。そして、第１分離部４１１は、ＴＳパケットのＰＳＩ／ＳＩを参照して、ＴＳパケットに含まれている情報の種別を判別し、映像、音声、イベント情報（ＥＩＴ）等の各種データを抽出する。また、第１分離部４１１は、予め設定されているアプリケーション管理情報（ＡＩＴ）の伝送方法に応じて、セクションやＰＥＳを参照しアプリケーション管理情報（ＡＩＴ）を抽出する。
【００６２】
また、第１分離部４１１は、ＴＳパケットに含まれている情報が音声情報である場合に、その音声情報をスピーカ４４０に出力する。さらに、第１分離部４１１は、ＴＳパケットに含まれている情報が映像情報である場合に、その映像情報をディスプレイ４４１に出力する。
【００６３】
そして、第１分離部４１１は、抽出したイベント情報（ＥＩＴ）やその他の各種データをメモリ４３１に記憶させる。このイベント情報（ＥＩＴ）には、上述したように触覚情報提示タイミングの情報を含めるようにしてもよい。
また、第１分離部４１１は、アプリケーション管理情報（ＡＩＴ）を抽出した場合、抽出したアプリケーション管理情報（ＡＩＴ）を放送ＡＩＴ取得部４１２に出力する。
【００６４】
放送ＡＩＴ取得部４１２は、第１分離部４１１から出力されたアプリケーション管理情報（ＡＩＴ）を取得し、ＡＩＴ記憶部４３０に記憶させる。
【００６５】
通信部４２０は、通信ネットワーク６を介してサービスサーバ３や携帯端末５との間で情報の送受信を行う通信インタフェースである。
【００６６】
第２分離部４１３は、通信部４２０により受信された情報の種別を判別する。この第２分離部４１３は、受信した情報がアプリケーション管理情報（ＡＩＴ）であると判別した場合、このアプリケーション管理情報（ＡＩＴ）を通信ＡＩＴ取得部４１４に出力する。また、第２分離部４１３は、受信した情報がアプリケーションやアプリ用コンテンツであると判別した場合、その情報をメモリ４３１に記憶させる。この第２分離部４１３は、サービスサーバ３から触覚情報提示タイミングの情報を受信したと判別した場合も、その情報をメモリ４３１に記憶させる。
【００６７】
通信ＡＩＴ取得部４１４は、第２分離部４１３から出力されたアプリケーション管理情報（ＡＩＴ）を取得し、ＡＩＴ記憶部４３０に記憶させる。
【００６８】
放送通信アプリケーション制御部４１５は、キーボードやリモコンからなる入力部（図示省略）等に、携帯端末５に触覚情報を提示するサービスを受ける旨の情報（ユーザの設定情報）が入力されたこと等を契機として、触覚提示サービス登録要求をサービスサーバ３に送信する。これにより、受信機４と携帯端末５とを関連付ける（詳細は図６参照）。
【００６９】
また、放送通信アプリケーション制御部４１５は、ＡＩＴ記憶部４３０を監視し、新たにアプリケーション管理情報（ＡＩＴ）が記憶された場合に、そのアプリケーション管理情報（ＡＩＴ）に記述されているロケーション情報をアプリケーションの取得先として、サービスサーバ３からアプリケーションを取得する。そして、放送通信アプリケーション制御部４１５は、取得したアプリケーションを実行し、サービスサーバ３からアプリ用コンテンツを取得することによって、アプリ用コンテンツの音声情報をスピーカ４４０に出力し、アプリ用コンテンツの映像情報をディスプレイ４４１に出力する。
【００７０】
ここで、放送通信アプリケーション制御部４１５は、新たに取得したアプリケーション管理情報（ＡＩＴ）に基づき、現在視聴している（これから視聴しようとしている）放送番組が、触覚情報が提示される番組であることを検知した場合には、触覚情報が提示される番組コンテンツに対応したアプリケーションの取得要求をサービスサーバ３に送信する。そして、受信機４は、触覚情報提示タイミングを携帯端末５に送信する機能を含むアプリケーションを取得する。そして、放送通信アプリケーション制御部４１５は、取得したそのアプリケーションを実行し、メモリ４３１に記憶された触覚情報提示タイミングの情報を携帯端末５に送信する。
【００７１】
このようにすることで、受信機４は、触覚情報が提示される番組コンテンツに対応したアプリケーションをサービスサーバ３から取得し、そのアプリケーションを実行することにより、触覚情報提示タイミングの情報を携帯端末５に送信することができる。
【００７２】
≪携帯端末５≫
次に、携帯端末５について説明する。
携帯端末５は、サービスサーバ３から触覚提示アプリケーションを受信し、その携帯端末５において、触覚情報の再生環境を事前にテスト（再生環境テスト）し、その再生環境テスト結果をサービスサーバ３に送信する。これにより、携帯端末５は、サービスサーバ３から、当該携帯端末５の低周波数帯域の出力特性に合わせて調整（ミキシング）された調整済触覚情報を取得する。そして、携帯端末５は、受信機４から取得した触覚情報提示タイミングに従い、その調整済触覚情報を出力することにより触覚情報を提示する。
【００７３】
図５は、本実施形態に係る携帯端末５の構成例を示す機能ブロック図である。
携帯端末５は、携帯電話やスマートフォン等としての基本的な機能（図示省略）に加えて、本実施形態に特有な機能として、図５に示すように、アプリケーション実行制御部５１０と、触覚提示制御部５１１と、再生環境テスト部５１２とを含んで構成される。
【００７４】
アプリケーション実行制御部５１０は、キーボードやタッチパネルからなる入力部（図示省略）等に、当該携帯端末５に触覚情報を提示するサービスを受ける旨の情報（ユーザの設定情報）が入力されたこと等を契機として、触覚提示サービス登録要求をサービスサーバ３に対して送信する。これにより、携帯端末５と受信機４とを関連付ける（詳細は図６参照）。
【００７５】
また、アプリケーション実行制御部５１０は、サービスサーバ３から触覚情報を提示するためのアプリケーション（触覚提示アプリケーション）に対応したアプリケーション管理情報（ＡＩＴ）を受信する。そして、アプリケーション実行制御部５１０は、この触覚提示アプリケーションをすでに取得しているか否かを判定し、取得していない場合には、そのアプリケーション管理情報（ＡＩＴ）に記述されているロケーション情報をアプリケーションの取得先として、サービスサーバ３にアプリケーション取得要求を送信し、サービスサーバ３から触覚提示アプリケーションを取得する。次に、アプリケーション実行制御部５１０は、取得した触覚提示アプリケーションを実行することにより、再生環境テスト部５１２を起動し、再生環境テストを実行させる。
【００７６】
また、アプリケーション実行制御部５１０は、受信機４から触覚情報提示タイミングの情報を受信し、その触覚情報提示タイミングの情報を触覚提示制御部５１１に出力する。
【００７７】
触覚提示制御部５１１は、再生環境テスト部５１２から再生環境テストの指示情報を受け取ると、その指示に基づき、再生環境テストを実行する。具体的には、触覚提示制御部５１１は、予め既知の、低周波数帯域を含むテスト音声情報に基づき、このテスト音声情報をスピーカ５４０から再生する。
【００７８】
また、触覚提示制御部５１１は、サービスサーバ３から調整（ミキシング）後の触覚情報（調整済触覚情報）を受信し、アプリケーション実行制御部５１０から取得した触覚情報提示タイミングに従い、その調整済触覚情報をスピーカ５４０から出力することにより、触覚情報を提示する。
【００７９】
再生環境テスト部５１２は、アプリケーション実行制御部５１０から指示により起動すると、触覚提示制御部５１１に対し指示情報を出力し、テスト音声情報を出力する再生環境テストを実行させる。
【００８０】
そして、再生環境テスト部５１２は、スピーカ５４０から再生されるテスト音声情報を録音することにより、再生環境テスト結果を取得する。この録音の際、外部の音源を拾ってしまうことを考慮し、テスト音声情報は、数秒程度の短い触覚情報を繰り返し再生するようにする。再生環境テスト部５１２は、繰り返し再生された音声を所定回数録音すると、再生環境テスト結果としてその録音された音声情報を、自身の携帯端末５のＩＤ（端末ＩＤ）を付してサービスサーバ３へ送信する。
【００８１】
このようにすることにより、携帯端末５は、その携帯端末５自身の触覚情報の再生環境を事前にテスト（再生環境テスト）し、その再生環境テスト結果をサービスサーバ３に送信することにより、当該携帯端末５の低周波数帯域の出力特性に合わせて調整（ミキシング）された調整済触覚情報をサービスサーバ３から取得する。そして、携帯端末５は、受信機４から取得した触覚情報提示タイミングに従い、その調整済触覚情報を出力することができる。
【００８２】
＜放送通信連携触覚提示システムの動作＞
次に、放送通信連携触覚提示システム１０００の動作について詳細に説明する。なお、放送通信連携触覚提示システム１０００の処理の全体の流れについては、図２を参照して説明したため、ここでは省略し、（１）携帯端末５と受信機４とを関連付ける機器関連付け処理、（２）触覚提示アプリケーションの起動処理、（３）再生環境テストについて説明する。
【００８３】
≪機器関連付け処理≫
まず、本実施形態に係るサービスサーバ３に対し、携帯端末５と受信機４とを関連付ける機器関連付け処理について説明する。
図６は、本実施形態に係る放送通信連携触覚提示システム１０００が行う機器関連付け処理の流れを示すシーケンス図である。
【００８４】
図６に示すように、まず、携帯端末５（アプリケーション実行制御部５１０）は、サービスサーバ３に対し触覚提示サービス登録要求を送信する（ステップＳ１０）。
【００８５】
続いて、サービスサーバ３（触覚アプリケーション制御部３１０）は、携帯端末５から触覚提示サービス登録要求を受信すると、登録用アプリケーションをその携帯端末５に送信する（ステップＳ１１）。
【００８６】
次に、携帯端末５（アプリケーション実行制御部５１０）は、登録用アプリケーションを実行することにより、当該携帯端末５のユーザＩＤおよび当該携帯端末５に固有なＩＤである機器ＩＤを組にし、登録情報としてサービスサーバ３へ通知する（ステップＳ１２）。
【００８７】
サービスサーバ３（触覚アプリケーション制御部３１０）は、携帯端末５からユーザＩＤと機器ＩＤとの組の登録情報を取得すると、そのユーザＩＤが既に登録済みか否かを判定し、登録済みでない場合は、新たに取得した登録情報（ユーザＩＤと機器ＩＤとの組。例えば、図６の登録情報７０１参照）を記憶部（図示省略）に記憶する（ステップＳ１３）。
【００８８】
一方、受信機４（放送通信アプリケーション制御部４１５）は、サービスサーバ３に対し触覚提示サービス登録要求を送信する（ステップＳ１４）。
【００８９】
続いて、サービスサーバ３（触覚アプリケーション制御部３１０）は、受信機４から触覚提示サービス登録要求を受信すると、登録用アプリケーションをその受信機４に送信する（ステップＳ１５）。
【００９０】
次に、受信機４（放送通信アプリケーション制御部４１５）は、登録用アプリケーションを実行することにより、当該受信機４のユーザＩＤおよび当該受信機４に固有なＩＤである機器ＩＤを組にし、登録情報としてサービスサーバ３へ通知する（ステップＳ１６）。
【００９１】
サービスサーバ３（触覚アプリケーション制御部３１０）は、受信機４からユーザＩＤと機器ＩＤとの組の登録情報を取得すると、そのユーザＩＤが既に登録済みか否かを判定し、そのユーザＩＤが既に登録されている場合には、当該ユーザＩＤの登録情報に、取得した機器ＩＤを追加して登録し、機器関連付け情報（例えば、図６の機器関連付け情報７０２参照）を生成する（ステップＳ１７）。
【００９２】
続いて、サービスサーバ３（触覚アプリケーション制御部３１０）は、受信機４に対して、機器関連付け情報で関連付けられた携帯端末５のアドレスを通知する（ステップＳ１８）。そして、受信機４（放送通信アプリケーション制御部４１５）は、携帯端末５に対し自身（受信機４）のアドレスを通知する（ステップＳ１９）。
【００９３】
このようにすることで、サービスサーバ３は、受信機４と携帯端末５とが関連付けられていることを知ることができる。また、受信機４は、サービスサーバ３から携帯端末５のアドレスの通知を受け、携帯端末５は、その受信機４のアドレスの通知を受けることで、互いに関連付けられた状態を知ることができる。
【００９４】
≪触覚提示アプリケーションの起動処理≫
次に、触覚提示アプリケーションの起動処理について説明する。
図７は、本実施形態に係る放送通信連携触覚提示システム１０００が行う触覚提示アプリケーションの起動処理の流れを示すシーケンス図である。ここでは、既に図６において示した機器関連付け処理が行われ、サービスサーバ３、受信機４および携帯端末５との間の関連付けができているものとする。
【００９５】
まず、受信機４は、放送波を受信し、アプリケーション管理情報（ＡＩＴ）を取得する（ステップＳ２０）。例えば、受信機４は、データカルーセル伝送方式により伝送されたアプリケーション管理情報（ＡＩＴ）を取得する。このアプリケーション管理情報（ＡＩＴ）を受信することにより、受信機４は、現在視聴している（これから視聴しようとしている）番組が、触覚情報が提示される番組であることを検知する。そして、受信機４（放送通信アプリケーション制御部４１５）は、サービスサーバ３に対し、触覚情報が提示される放送番組に対応したアプリケーションの取得要求を送信する（ステップＳ２１）。
【００９６】
続いて、アプリケーション取得要求を受信したサービスサーバ３（触覚アプリケーション制御部３１０）は、その受信機４に対し、触覚情報を提示するための機能（例えば、触覚情報提示タイミングを携帯端末５に送信する機能）を備えたアプリケーションを送信する（ステップＳ２２）。一方、サービスサーバ３（触覚アプリケーション制御部３１０）は、機器関連付け情報を参照し、アプリケーション取得要求を送信してきた受信機４と関連付けられた携帯端末５を抽出する。そして、サービスサーバ３（触覚アプリケーション制御部３１０）は、その抽出した携帯端末５に対して、触覚提示アプリケーションを送信する（ステップＳ２３）。
【００９７】
触覚提示アプリケーションを受信した携帯端末５は、再生環境テストを実行する（ステップＳ２４：後記する図８参照）。そして、携帯端末５（再生環境テスト部５１２）は、その再生環境テスト結果に自身の携帯端末５のＩＤ（端末ＩＤ）を付してサービスサーバ３に送信する（ステップＳ２５）。
【００９８】
続いて、サービスサーバ３（触覚情報送信制御部３１１）は、番組コンテンツの触覚情報を、再生環境テスト結果を基に調整し、調整済触覚情報を生成して携帯端末５に送信する（ステップＳ２６）。携帯端末５（触覚提示制御部５１１）は、受信した調整済触覚情報を記憶部（図示省略）に記憶する。
【００９９】
また、受信機４（放送通信アプリケーション制御部４１５）は、放送局１からの放送波を介して、または、サービスサーバ３を介して、触覚情報提示タイミングの情報を取得する。この触覚情報提示タイミングは、例えば、図７の触覚情報提示タイミング８００に示すように、触覚情報を提示する番組の番組ＩＤと、その番組のスタート時点からの触覚情報の提示タイミング（開始タイミング〜終了タイミング）を示す情報である。そして、受信機４（放送通信アプリケーション制御部４１５）は、取得したこの触覚情報提示タイミングの情報を携帯端末５に送信する（ステップＳ２７）。携帯端末５（触覚提示制御部５１１）は、受信した触覚情報提示タイミングの情報を記憶部（図示省略）に記憶する。
【０１００】
携帯端末５（触覚提示制御部５１１）は、記憶部（図示省略）に記憶した触覚情報提示タイミングに従って調整済触覚情報を記憶部（図示省略）から抽出し、スピーカ５４０を介して出力する（ステップＳ２８）。
【０１０１】
なお、図７においては、放送番組（番組コンテンツ）が事前に収録され編集された番組（収録番組）や映画等のコンテンツであり、ステップＳ２６において、携帯端末５が、サービスサーバ３から予め調整済触覚情報を取得し記憶部に記憶する。また、触覚情報提示タイミングについても、携帯端末５が、ステップＳ２７において、受信機４から予め取得し記憶部に記憶する。そして、携帯端末５の触覚提示制御部５１１が、触覚情報提示タイミングに従って、記憶部から調整済触覚情報を抽出し出力するものとした。
【０１０２】
これに対し、放送番組（番組コンテンツ）がライブ映像（生中継）の場合には、携帯端末５は、サービスサーバ３からデータストリーム伝送方式により、アプリケーション管理情報（ＡＩＴ）や調整済触覚情報を受信し、その伝送データに触覚情報提示タイミングの情報を多重化させて取得することにより、リアルタイムに調整済触覚情報を出力するようにする。このとき、サービスサーバ３（触覚情報送信制御部３１１）は、放送局１から配信されてくる触覚情報を、その携帯端末５の再生環境テスト結果に基づき、リアルタイムに調整（ミキシング）し、つまりフィルタリングすることにより調整済触覚情報を生成し、携帯端末５に送信する。
【０１０３】
≪再生環境テスト≫
次に、携帯端末５が実行する再生環境テストについて説明する。
携帯端末５が音声情報をスピーカ５４０で再生する際の低周波数領域の出力逓減率は、携帯端末５の設計の相違等により異なっており、各携帯端末５において統一された基準等に基づき設定されてはいない。そこで、サービスサーバ３は、既知の低周波数帯域を含むテスト音声情報をアプリケーション（再生環境テストアプリケーション）として携帯端末５に送信する。なお、この再生環境テストアプリケーションは、上述の触覚提示アプリケーションに含めてサービスサーバ３から携帯端末５に送信される。携帯端末５の再生環境テスト部５１２は、このテスト音声情報をスピーカ５４０から出力させ、その音声情報を録音することにより、その携帯端末５に特有の低周波数帯域の再生環境を示す再生環境テスト結果を取得する。以下、具体的に説明する。
【０１０４】
図８は、本実施形態に係る携帯端末５が行う再生環境テストの処理を説明するフローチャートである。
【０１０５】
まず、携帯端末５がサービスサーバ３から触覚提示アプリケーション（再生環境テストアプリケーションを含む）を取得すると、その触覚提示アプリケーションをアプリケーション実行制御部５１０が実行することにより、再生環境テスト部５１２（図５参照）を起動する（ステップＳ３０）。
【０１０６】
そして、再生環境テスト部５１２は、触覚提示制御部５１１に対し、再生環境テストアプリケーションに基づきテスト音声情報の出力を指示する。ここで、触覚提示制御部５１１は、このテスト音声情報を、上述のように、数秒程度の短い触覚情報を繰り返してスピーカ５４０から再生（出力）する（ステップＳ３１）。
【０１０７】
続いて、再生環境テスト部５１２は、繰り返し再生されたテスト音声情報を所定回数録音する（ステップＳ３２）。ここで、複数回にわたってテスト音声情報を録音するのは、再生環境テスト部５１２が、スピーカ５４０から出力された音声情報を録音するため、外部の音源からの音声情報も同時に拾ってしまうことを考慮したものである。これにより、サービスサーバ３において、多くの雑音を含む音声情報（再生環境テスト結果）を削除したり、複数の音声情報（再生環境テスト結果）の平均をとり、その携帯端末５における低周波数領域の出力逓減率を決定したりすることができる。
【０１０８】
そして、再生環境テスト部５１２は、再生環境テスト結果として録音された音声情報を、自身の携帯端末５のＩＤ（端末ＩＤ）を付してサービスサーバ３へ送信する（ステップＳ３３）。
【０１０９】
この再生環境テスト結果を受信したサービスサーバ３の触覚情報送信制御部３１１は、再生環境テスト結果として受信した音声情報から、低周波数領域のサンプリング周波数ごとの再生出力の大きさを検出し、音声再生周波数帯域の再生出力の大きさがフラットに近づくように触覚情報を調整（ミキシング）する。つまり、触覚情報送信制御部３１１は、周波数帯域別に触覚情報の出力を調整する。このようにすることにより、携帯端末５は、その携帯端末５に特有の低周波数帯域の再生環境を応じて調整した触覚情報をサービスサーバ３から受信し、その調整済触覚情報に基づき、より適切に触覚情報を出力することができる。
【０１１０】
以上説明したように、本実施形態に係る放送通信連携触覚提示システム１０００、サービスサーバ３およびプログラム、並びに、携帯端末５によれば、放送通信連携サービスにおいて、番組コンテンツの内容に合わせた触覚情報を携帯端末５により適切に出力（再現）し、ユーザに提示することができる。
【０１１１】
また、本発明は、ここで説明した実施形態に限定されるものではない。
本実施形態においては、受信機４に出力される番組コンテンツの映像・音声データに合わせて、携帯端末５において触覚情報を提示するものとして説明した。しかしながら、携帯端末５が、放送通信連携サービスにおける番組コンテンツの映像・音声データの出力機能を備えている場合には、受信機４ではなく、携帯端末５において番組コンテンツを視聴しながら、その携帯端末５が本実施形態に係る触覚情報をユーザに提示するようにしてもよい。
【符号の説明】
【０１１２】
１      放送局
２      放送用アンテナ
３      サービスサーバ
４      受信機（放送通信連携テレビ受信機）
５      携帯端末
３１０  触覚アプリケーション制御部
３１１  触覚情報送信制御部
４１０  放送波受信部
４１１  第１分離部
４１２  放送ＡＩＴ取得部
４１３  第２分離部
４１４  通信ＡＩＴ取得部
４１５  放送通信アプリケーション制御部
４２０  通信部
４３０  ＡＩＴ記憶部
４３１  メモリ
４４０，５４０  スピーカ
４４１  ディスプレイ
５１０  アプリケーション実行制御部
５１１  触覚提示制御部
５１２  再生環境テスト部
１０００  放送通信連携触覚提示システム
【図１】
2015139059.tif 000003
【図２】
2015139059.tif 000004
【図３】
2015139059.tif 000005
【図４】
2015139059.tif 000006
【図５】
2015139059.tif 000007
【図６】
2015139059.tif 000008
【図７】
2015139059.tif 000009
【図８】
2015139059.tif 000010